(57)【要約】バックライト装置は、駆動装置およびバックライトにより構成される。バックライトは第１の光源群と第２の光源群とを備える。駆動装置は、第１の光源群の１以上の蛍光ランプを第１の同期信号に応答して駆動し、第２の光源群の１以上の蛍光ランプを第２の同期信号に応答して駆動する。第１の同期信号と第２の同期信号との位相差は、６０度よりも大きく１２０度よりも小さい範囲内または２４０度よりも大きく３００度よりも小さい範囲内にある。
2005027590.tif 000002
【特許請求の範囲】
【請求項１】
可視光および赤外線を放射する１以上の光源を含む第１の光源群と、
可視光および赤外線を放射する１以上の光源を含む第２の光源群と、
前記第１の光源群の１以上の光源を第１の同期信号に応答して駆動し、前記第２の光源群の１以上の光源を第２の同期信号に応答して駆動する駆動装置とを備え、
前記第１の同期信号と前記第２の同期信号との位相差は、６０度よりも大きく１２０度よりも小さい範囲内または２４０度よりも大きく３００度よりも小さい範囲内にある、バックライト装置。
【請求項２】
前記第１の光源群の１以上の光源および前記第２の光源群の１以上の光源の各々は蛍光ランプである、請求項１記載のバックライト装置。
【請求項３】
前記第１の光源群は複数の光源を含み、
前記駆動装置は、前記第１の光源群の前記複数の光源のうち一部を前記第１の同期信号に応答して駆動し、前記第１の光源群の前記複数の光源のうち残りを前記第１の同期信号に対して半周期異なる位相を有する第３の同期信号に応答して駆動する、請求項１記載のバックライト装置。
【請求項４】
前記第２の光源群は複数の光源を含み、
前記駆動装置は、前記第２の光源群の前記複数の光源のうち一部を前記第２の同期信号に応答して駆動し、前記第２の光源群の前記複数の光源のうち残りを前記第２の同期信号に対して半周期異なる位相を有する第４の同期信号に応答して駆動する、請求項３記載のバックライト装置。
【請求項５】
前記第１の光源群は複数の光源を含み、前記第１の光源群の複数の光源は複数の第１のサブグループに区分され、
前記複数の第１のサブグループと前記第２の光源群とが交互に配置された、請求項１記載のバックライト装置。
【請求項６】
前記第２の光源群は複数の光源を含み、前記第２の光源群の複数の光源は複数の第２のサブグループに区分され、
前記複数の第１のサブグループと前記第２のサブグループとが交互に配置された、請求項５記載のバックライト装置。
【請求項７】
前記第１の同期信号と前記第２の同期信号との位相差は、７５度から１０５度の範囲内または２５５度から２８５度の範囲内にある、請求項１記載のバックライト装置。
【請求項８】
前記第１の同期信号と前記第２の同期信号との位相差は、実質的に９０度または２７０度である、請求項１記載のバックライト装置。
【請求項９】
前記駆動装置は、
前記第１の同期信号に同期して第１の駆動電圧を前記第１の光源群の前記１以上の光源に印加する第１の駆動回路と、
前記第２の同期信号に同期して第２の駆動電圧を前記第２の光源群の前記１以上の光源に印加する第２の駆動回路とを含む、請求項１記載のバックライト装置。
【請求項１０】
前記駆動装置は、
前記第１の同期信号に基づいて前記第２の同期信号を生成する第１の信号生成回路をさらに含む、請求項９記載のバックライト装置。
【請求項１１】
前記駆動装置は、
前記第１の同期信号に同期して第１の駆動電圧を前記第１の光源群の前記複数の光源の前記一部に印加する第１の駆動回路と、
前記第２の同期信号に同期して第２の駆動電圧を前記第２の光源群の前記１以上の光源に印加する第２の駆動回路と、
前記第３の同期信号に同期して第３の駆動電圧を前記第１の光源群の前記複数の光源の前記残りに印加する第３の駆動回路とを含む、請求項３記載のバックライト装置。
【請求項１２】
前記駆動装置は、
前記第１の同期信号に基づいて前記第２の同期信号を生成する第１の信号生成回路と、
前記第１の同期信号に基づいて前記第３の同期信号を生成する第２の信号生成回路とをさらに含む、請求項１１記載のバックライト装置。
【請求項１３】
前記駆動装置は、
前記第１の同期信号に同期して第１の駆動電圧を前記第１の光源群の前記複数の光源の前記一部に印加する第１の駆動回路と、
前記第２の同期信号に同期して第２の駆動電圧を前記第２の光源群の前記複数の光源の前記一部に印加する第２の駆動回路と、
前記第３の同期信号に同期して第３の駆動電圧を前記第１の光源群の前記複数の光源の前記残りに印加する第３の駆動回路と、
前記第４の同期信号に同期して第４の駆動電圧を前記第２の光源群の前記複数の光源の前記残りに印加する第４の駆動回路とを含む、請求項４記載のバックライト装置。
【請求項１４】
前記駆動装置は、
前記第１の同期信号に基づいて前記第２の同期信号を生成する第１の信号生成回路と、
前記第１の同期信号に基づいて前記第３の同期信号を生成する第２の信号生成回路と、
前記第２の同期信号に基づいて前記第４の同期信号を生成する第３の信号生成回路とをさらに含む、請求項１３記載のバックライト装置。
【請求項１５】
前記第１の光源群の前記１以上の光源の数と前記第２の光源群の前記１以上の光源の数とが等しい、請求項１記載のバックライト装置。
【請求項１６】
前記第１の光源群の前記１以上の光源および前記第２の光源群の前記１以上の光源が直管ランプまたはＬ字ランプである、請求項１記載のバックライト装置。
【請求項１７】
導光板をさらに備え、
前記直管ランプまたはＬ字ランプは前記導光板の側面に配置される、請求項１６記載のバックライト装置。
【請求項１８】
映像を表示する表示パネルと、
前記表示パネルの背面に配置されるバックライト装置とを備え、
前記バックライト装置は、
可視光および赤外線を放射する１以上の光源を含む第１の光源群と、
可視光および赤外線を放射する１以上の光源を含む第２の光源群と、
前記第１の光源群の１以上の光源を第１の同期信号に応答して駆動し、前記第２の光源群の１以上の光源を第２の同期信号に応答して駆動する駆動装置とを備え、
前記第１の同期信号と前記第２の同期信号との位相差は、６０度よりも大きく１２０度よりも小さい範囲内または２４０度よりも大きく３００度よりも小さい範囲内にある、表示装置。
【請求項１９】
前記表示パネルは、液晶表示パネルである、請求項１８記載の表示装置。
【発明の詳細な説明】
【技術分野】  本発明は、バックライト装置およびそれを備えた表示装置に関する。
【背景技術】  近年、ＣＲＴ（陰極線管）に代わる薄型表示装置として、ＰＤＰ（プラズマディスプレイパネル）および液晶表示装置への期待が高まっている。特に、液晶表示装置は、薄型軽量、低消費電力等の点で優れており、今後ますます需要が増えることが予想される。
液晶表示装置の表示は、液晶パネルの背面側に配置されるバックライト装置と呼ばれる光源を利用することにより行われる。液晶表示装置の液晶自体が発光することはなく、液晶表示装置の輝度は、バックライト装置から放射される光量に大きく左右される。
図１４は従来のバックライト装置の一例を示すブロック図である。図１４のバックライト装置は、複数の駆動回路５０および各駆動回路５０に２本ずつ接続される複数の蛍光ランプ６０を備える。
各駆動回路５０は、それにそれぞれ接続される蛍光ランプ６０に駆動電圧を与える。それにより、各蛍光ランプ６０が点灯する。
ここで、図１４のバックライト装置においては、各駆動回路５０はそれぞれ独立に制御されており、各駆動回路５０から各蛍光ランプ６０に与えられる駆動電圧は非同期である。そのため、同じ駆動回路５０に接続される２本の蛍光ランプ６０は同期点灯するが、互いに異なる駆動回路５０に接続される蛍光ランプ６０同士は非同期で点灯する。
上記のようなバックライト装置を用いた液晶表示装置においては、蛍光ランプ６０の数が増大した場合、液晶パネル上に複数の蛍光ランプ６０による干渉ノイズが発生する。
特許第３２９３５９２号公報には、上記の問題を解決する方法が報告されている。
図１５に示すように、特許第３２９３５９２号公報に係るバックライト表示装置は、複数の駆動ブロック７０および各駆動ブロック７０に２本ずつ接続される複数のランプ８１〜８８を備える。図１５のバックライト表示装置においては、ランプ８３，８４の発振波形がランプ８１，８２の発振波形と逆相となり、ランプ８５，８６の発振波形が、ランプ８３，８４の発振波形と逆相になり、ランプ８７，８８の発振波形が、ランプ８５，８６の発振波形と逆そうにとなるように駆動される。それにより、複数のランプ８１〜８８による干渉ノイズを打ち消すことができる。
しかしながら、上記特許第３２９３５９２号公報の液晶表示装置においては、液晶表示装置の近くで、高周波帯域（約３０ｋＨｚ〜約６０ｋＨｚ）の赤外線信号を送信する送信機および受信する受信機からなる遠隔操作機器を操作した場合、遠隔操作機器の受信機に誤動作が発生する。ここで、遠隔操作機器の送信機は、例えば、液晶表示装置の操作リモコンであり、受信機は、例えば、液晶表示装置本体に設置される赤外線受信センサＩＣ（集積回路）である。
【発明の開示】
本発明の目的は、赤外線信号を利用した機器の誤動作を低減することができるバックライト装置およびそれを備えた表示装置を提供することである。
本発明の一局面に従うバックライト装置は、視光および赤外線を放射する１以上の光源を含む第１の光源群と、可視光および赤外線を放射する１以上の光源を含む第２の光源群と、第１の光源群の１以上の光源を第１の同期信号に応答して駆動し、第２の光源群の１以上の光源を第２の同期信号に応答して駆動する駆動装置とを備え、第１の同期信号と第２の同期信号との位相差は、６０度よりも大きく１２０度よりも小さい範囲内または２４０度よりも大きく３００度よりも小さい範囲内にあるものである。
そのバックライト装置においては、第１の光源群の１以上の光源が第１の同期信号に応答して駆動され、第２の光源群の１以上の光源が第２の同期信号に応答して駆動される。それにより、第１の光源群の１以上の光源から可視光および赤外線が放射され、第２の光源群の１以上の光源から可視光および赤外線が放射される。その結果、第１の光源群の１以上の光源から放射される赤外線の強度の波形と第２の光源群の１以上の光源から放射される赤外線の強度の波形とが合成される。
この場合、第１の同期信号と第２の同期信号との位相差が６０度よりも大きく１２０度よりも小さい範囲内または２４０度よりも大きく３００度よりも小さい範囲内にある。それにより、合成された赤外線の強度の波形の振幅が平均化され、直流成分のレベルが増加するとともに交流成分の振幅が減少する。その結果、他の機器から送信される赤外線信号に与える影響が低減され、他の機器の誤動作の程度が低減される。
第１の光源群の１以上の光源および第２の光源群の１以上の光源の各々は蛍光ランプであってもよい。
この場合、第１の光源群の１以上の蛍光ランプから放射される赤外線の強度の波形と第２の光源群の１以上の蛍光ランプから放射される赤外線の強度の波形とが合成され、合成された赤外線の強度の波形において直流成分のレベルが増加するとともに交流成分の振幅が減少する。その結果、他の機器から送信される赤外線信号に与える影響が低減され、他の機器の誤動作の程度が低減される。
第１の光源群は複数の光源を含み、駆動装置は、第１の光源群の複数の光源のうち一部を第１の同期信号に応答して駆動し、第１の光源群の複数の光源のうち残りを第１の同期信号に対して半周期異なる位相を有する第３の同期信号に応答して駆動してもよい。
この場合、第１の光源群の複数の光源のうち一部が第１の同期信号に応答して駆動され、第１の光源群の複数の光源のうち残りが第１の同期信号に対して半周期異なる位相を有する第３の同期信号に応答して駆動される。それにより、第１の光源群の複数の光源のうち一部から発生されるノイズと第１の光源群の複数の光源のうち残りから発生されるノイズとが打ち消し合う。その結果、複数の光源からのノイズにより表示パネルに表示される画像にノイズが発生することが防止される。
第２の光源群は複数の光源を含み、駆動装置は、第２の光源群の複数の光源のうち一部を第２の同期信号に応答して駆動し、第２の光源群の複数の光源のうち残りを第２の同期信号に対して半周期異なる位相を有する第４の同期信号に応答して駆動してもよい。
この場合、第２の光源群の複数の光源のうち一部が第２の同期信号に応答して駆動され、第２の光源群の複数の光源のうち残りが第２の同期信号に対して半周期異なる位相を有する第４の同期信号に応答して駆動される。それにより、第２の光源群の複数の光源のうち一部から発生されるノイズと第２の光源群の複数の光源のうち残りから発生されるノイズとが打ち消し合う。その結果、複数の光源からのノイズにより表示パネルに表示される画像にノイズが発生することが防止される。
第１の光源群は複数の光源を含み、第１の光源群の複数の光源は複数の第１のサブグループに区分され、複数の第１のサブグループと第２の光源群とが交互に配置されてもよい。
この場合、第１の光源群の各光源と第２の光源群の各光源との距離が短くなるので、第１の光源群の各光源から放射される赤外線の強度の波形と第２の光源群の各光源から放射される赤外線の強度の波形とが十分に合成される。それにより、合成された赤外線の強度の波形において交流成分の振幅が確実に減少する。その結果、他の機器から送信される赤外線信号に与える影響が確実に低減され、他の機器がバックライト装置の近くで操作された場合でも、他の機器の誤動作の程度が十分に低減される。
第２の光源群は複数の光源を含み、第２の光源群の複数の光源は複数の第２のサブグループに区分され、複数の第１のサブグループと第２のサブグループとが交互に配置されてもよい。
この場合、第１の光源群の各光源と第２の光源群の各光源との距離がさらに短くなるので、第１の光源群の各光源から放射される赤外線の強度の波形と第２の光源群の各光源から放射される赤外線の強度の波形とがさらに十分に合成される。それにより、合成された赤外線の強度の波形において交流成分の振幅がさらに確実に減少する。その結果、他の機器から送信される赤外線信号に与える影響がさらに確実に低減され、他の機器がバックライト装置の近くで操作された場合でも、他の機器の誤動作の程度がさらに十分に低減される。
第１の同期信号と第２の同期信号との位相差は、７５度から１０５度の範囲内または２５５度から２８５度の範囲内にあってもよい。
この場合、合成された赤外線の強度の波形において直流成分のレベルがより増加するとともに交流成分の振幅がより減少する。その結果、他の機器から送信される赤外線信号に与える影響がより低減され、他の機器の誤動作の程度がより低減される。加えて、誤動作継続時間がバックライト装置を備えた表示装置の起動シーケンス内に収まるので、実質的に表示装置が誤動作しなくなる。
第１の同期信号と第２の同期信号との位相差は、実質的に９０度または２７０度であってもよい。
この場合、合成された赤外線の強度の波形において直流成分のレベルが最も増加するとともに交流成分の振幅が最も減少する。その結果、他の機器から送信される赤外線信号に与える影響が最も低減され、他の機器の誤動作の程度が十分に低減される。
駆動装置は、第１の同期信号に同期して第１の駆動電圧を第１の光源群の１以上の光源に印加する第１の駆動回路と、第２の同期信号に同期して第２の駆動電圧を第２の光源群の１以上の光源に印加する第２の駆動回路とを含んでもよい。
この場合、第１の同期信号に同期して第１の駆動電圧が第１の光源群の１以上の光源に印加され、第２の同期信号に同期して第２の駆動電圧が第２の光源群の１以上の光源に印加される。
第１の駆動電圧と第２の駆動電圧との位相差は６０度よりも大きく１２０度よりも小さい範囲内または２４０度よりも大きく３００度よりも小さい範囲内にある。それにより、合成された赤外線の強度の波形において直流成分のレベルが増加するとともに交流成分の振幅が減少する。その結果、他の機器から送信される赤外線信号に与える影響が低減され、他の機器の誤動作の程度が低減される。
駆動装置は、第１の同期信号に基づいて第２の同期信号を生成する第１の信号生成回路をさらに含んでもよい。
この場合、第１の同期信号に基づいて第１の同期信号に対して上記の位相差を有する第２の同期信号が生成される。
駆動装置は、第１の同期信号に同期して第１の駆動電圧を第１の光源群の複数の光源の一部に印加する第１の駆動回路と、第２の同期信号に同期して第２の駆動電圧を第２の光源群の１以上の光源に印加する第２の駆動回路と、第３の同期信号に同期して第３の駆動電圧を第１の光源群の複数の光源の残りに印加する第３の駆動回路とを含んでもよい。
この場合、第１の同期信号に同期して第１の駆動電圧が第１の光源群の複数の光源の一部に印加され、第２の同期信号に同期して第２の駆動電圧が第２の光源群の１以上の光源に印加される。また、第３の同期信号に同期して第３の駆動電圧が第１の光源群の複数の光源の残りに印加される。
第１の駆動電圧と第２の駆動電圧との位相差は６０度よりも大きく１２０度よりも小さい範囲内または２４０度よりも大きく３００度よりも小さい範囲内にある。それにより、合成された赤外線の強度の波形において直流成分のレベルが増加するとともに交流成分の振幅が減少する。その結果、他の機器から送信される赤外線信号に与える影響が低減され、他の機器の誤動作の程度が低減される。
また、第１の駆動電圧の位相と第３の駆動電圧の位相とが半周期ずれている。それにより、第１の光源群の複数の光源のうち一部から発生されるノイズと第１の光源群の複数の光源のうち残りから発生されるノイズとが打ち消し合う。
駆動装置は、第１の同期信号に基づいて第２の同期信号を生成する第１の信号生成回路と、第１の同期信号に基づいて第３の同期信号を生成する第２の信号生成回路とをさらに含んでもよい。
この場合、第１の同期信号に基づいて第１の同期信号に対して上記の位相差を有する第２の同期信号が生成される。また、第１の同期信号に基づいて第１の同期信号に対して半周期異なる位相を有する第３の同期信号が生成される。
駆動装置は、第１の同期信号に同期して第１の駆動電圧を第１の光源群の複数の光源の一部に印加する第１の駆動回路と、第２の同期信号に同期して第２の駆動電圧を第２の光源群の複数の光源の一部に印加する第２の駆動回路と、第３の同期信号に同期して第３の駆動電圧を第１の光源群の複数の光源の残りに印加する第３の駆動回路と、第４の同期信号に同期して第４の駆動電圧を第２の光源群の複数の光源の残りに印加する第４の駆動回路とを含んでもよい。
この場合、第１の同期信号に同期して第１の駆動電圧が第１の光源群の複数の光源の一部に印加され、第２の同期信号に同期して第２の駆動電圧が第２の光源群の複数の光源の一部に印加される。また、第３の同期信号に同期して第３の駆動電圧が第１の光源群の複数の光源の残りに印加され、第４の同期信号に同期して第４の駆動電圧が第２の光源群の複数の光源の残りに印加される。
第１の駆動電圧と第２の駆動電圧との位相差は６０度よりも大きく１２０度よりも小さい範囲内または２４０度よりも大きく３００度よりも小さい範囲内にある。また、第３の駆動電圧と第４の駆動電圧との位相差は６０度よりも大きく１２０度よりも小さい範囲内または２４０度よりも大きく３００度よりも小さい範囲内にある。それにより、合成された赤外線の強度の波形において直流成分のレベルが増加するとともに交流成分の振幅が減少する。その結果、他の機器から送信される赤外線信号に与える影響が低減され、他の機器の誤動作の程度が低減される。
また、第１の駆動電圧の位相と第３の駆動電圧の位相とが半周期ずれている。それにより、第１の光源群の複数の光源のうち一部から発生されるノイズと第１の光源群の複数の光源のうち残りから発生されるノイズとが打ち消し合う。さらに、第２の駆動電圧と第４の駆動電圧との位相差が半周期ずれている。それにより、第２の光源群の複数の光源のうち一部から発生されるノイズと第２の光源群の複数の光源のうち残りから発生されるノイズとが打ち消し合う。
駆動装置は、第１の同期信号に基づいて第２の同期信号を生成する第１の信号生成回路と、第１の同期信号に基づいて第３の同期信号を生成する第２の信号生成回路と、第２の同期信号に基づいて第４の同期信号を生成する第３の信号生成回路とをさらに含んでもよい。
この場合、第１の同期信号に基づいて第１の同期信号に対して上記の位相差を有する第２の同期信号が生成される。また、第１の同期信号に基づいて第１の同期信号に対して半周期異なる位相を有する第３の同期信号が生成される。さらに、第２の同期信号に基づいて第２の同期信号に対して半周期異なる位相を有する第３の同期信号が生成される。
第１の光源群の１以上の光源の数と第２の光源群の１以上の光源の数とが等しくてもよい。
この場合、第１の光源群の各光源から放射される赤外線の強度の波形と第２の光源群の各光源から放射される赤外線の強度の波形とが十分に合成される。それにより、合成された赤外線の強度の波形において交流成分の振幅が確実に減少する。その結果、他の機器から送信される赤外線信号に与える影響が確実に低減され、他の機器の誤動作の程度が十分に低減される。
第１の光源群の１以上の光源および第２の光源群の１以上の光源が直管ランプまたはＬ字ランプであってもよい。
この場合、第１の光源群の１以上の直管ランプまたはＬ字ランプから放射される赤外線の強度の波形と第２の光源群の直管ランプまたはＬ字ランプから放射される赤外線の強度の波形とが合成され、合成された赤外線の強度の波形において直流成分のレベルが増加するとともに交流成分の振幅が減少する。その結果、他の機器から送信される赤外線信号に与える影響が低減され、他の機器の誤動作の程度が低減される。
導光板をさらに備え、直管ランプまたはＬ字ランプは導光板の側面に配置されてもよい。
この場合、直管ランプまたはＬ字ランプにより発生された可視光および赤外線が導光板の側面から放射され、導光板により拡散される。
本発明の他の局面に従う表示装置は、映像を表示する表示パネルと、表示パネルの背面に配置されるバックライト装置とを備え、バックライト装置は、可視光および赤外線を放射する１以上の光源を含む第１の光源群と、可視光および赤外線を放射する１以上の光源を含む第２の光源群と、第１の光源群の１以上の光源を第１の同期信号に応答して駆動し、第２の光源群の１以上の光源を第２の同期信号に応答して駆動する駆動装置とを備え、第１の同期信号と第２の同期信号との位相差は、６０度よりも大きく１２０度よりも小さい範囲内または２４０度よりも大きく３００度よりも小さい範囲内にあるものである。
その表示装置においては、バックライト装置から放射された可視光が表示パネルの背面に照射される。バックライト装置においては、第１の光源群の１以上の光源が第１の同期信号に応答して駆動され、第２の光源群の１以上の光源が第２の同期信号に応答して駆動される。それにより、第１の光源群の１以上の光源から可視光および赤外線が放射され、第２の光源群の１以上の光源から可視光および赤外線が放射される。その結果、第１の光源群の１以上の光源から放射される赤外線の強度の波形と第２の光源群の１以上の光源から放射される赤外線の強度の波形とが合成される。
この場合、第１の同期信号と第２の同期信号との位相差が６０度よりも大きく１２０度よりも小さい範囲内または２４０度よりも大きく３００度よりも小さい範囲内にある。それにより、合成された赤外線の強度の波形の振幅が平均化され、直流成分のレベルが増加するとともに交流成分の振幅が減少する。その結果、他の機器から送信される赤外線信号に与える影響が低減され、他の機器の誤動作の程度が低減される。
表示パネルは、液晶表示パネルであってもよい。
この場合、バックライト装置から放射された可視光が液晶表示パネルの背面に照射される。
【図面の簡単な説明】  図１は、本発明の第１の実施の形態に係るバックライト装置の構成を示すブロック図、
図２は、図１のバックライト装置を用いた液晶表示装置の概略断面図、
図３は、バックライトの赤外線放射量と遠隔操作機器の誤動作との関係を説明するための図、
図４は、図１のバックライト装置において、位相差Δθを０°から３６０°まで３０°ずつ変化させた場合の誤動作終了時間ｔｅの変化を示す図、
図５は、受信センサＩＣの内部ブロック図、
図６は、同期信号ＳＹ１と同期信号ＳＹ２との位相差Δθが０°である場合の駆動電圧の波形、第１および第２の光源群の赤外線放射強度の波形およびバックライトの赤外線放射強度の波形を示した図、
図７は、同期信号ＳＹ１と同期信号ＳＹ２との位相差Δθが９０°である場合の駆動電圧の波形、第１および第２の光源群の赤外線放射強度の波形およびバックライトの赤外線放射強度の波形を示した図、
図８は、本発明の第２の実施の形態に係るバックライト装置の構成を示すブロック図、
図９は、同期信号ＳＹ３と同期信号ＳＹ５との位相差Δθが９０°である場合の駆動電圧の波形、蛍光ランプの赤外線放射強度の波形、第１および第２の光源群の赤外線放射強度の波形およびバックライトの赤外線放射強度の波形を示した図、
図１０は、本発明の第３の実施の形態に係るバックライト装置の構成を示すブロック図、
図１１は、本発明の第４の実施の形態に係るバックライト装置の構成を示すブロック図、
図１２は、直管ランプを備えるエッジ式バックライト装置を用いた液晶表示装置の概略平面図、
図１３は、Ｌ字型ランプを備えるエッジ式バックライト装置を用いた液晶表示装置の概略平面図
図１４は、従来のバックライト装置の一例を示すブロック図、
図１５は、従来のバックライト装置の他の例を示すブロック図である。
【発明を実施するための最良の形態】  以下、本発明の形態について図１〜図１３を参照して説明する。
（第１の実施の形態）
図１は本発明の第１の実施の形態に係るバックライト装置の構成を示すブロック図であり、図２は図１のバックライト装置を用いた液晶表示装置の概略断面図である。
図１のバックライト装置２０１は、駆動装置１００およびバックライト１０１により構成される。駆動装置１００は、駆動回路１ａ、駆動回路１ｂおよび遅延回路２を備える。バックライト１０１は、第１の光源群１１および第２の光源群１２を備える。第１および第２の光源群は、一または複数の蛍光ランプからなる。
また、図２の液晶表示装置は、液晶パネル２０２の背面側に図１のバックライト装置２０１を配設した構成を有する。液晶パネル２０２は、バックライト装置２０１からの光を用いることにより表示を行う。
図１の駆動回路１ａおよび遅延回路２には同期信号ＳＹ１が与えられる。駆動回路１ａは、同期信号ＳＹ１に同期して第１の光源群１１に交流の駆動電圧ＶＤ１を与える。それにより、第１の光源群１１が点灯する。
また、遅延回路２は、同期信号ＳＹ１を予め設定された位相遅延させ、遅延された同期信号ＳＹ２を駆動回路１ｂに与える。駆動回路１ｂは、同期信号ＳＹ２に同期して第２の光源群１２に交流の駆動電圧ＶＤ２を与える。それにより、第２の光源群１２が点灯する。ここで、同期信号ＳＹ１と同期信号ＳＹ２との位相差をΔθとする。この位相差Δθについては後述する。
一般に、バックライト１０１に用いられる蛍光ランプには、水銀原子の他に、緩衝ガスとしてネオン、アルゴン等の希ガスが封入されている。水銀原子から放射される紫外線（主に２５７．３ｎｍの輝線）は蛍光ランプ内面に塗布された蛍光体により可視光に変換されて外部に放射される。一方、希ガスは、通常蛍光ランプの点灯開始時の駆動電圧を低くするために使用されるが、同時に赤色可視光および赤外線を放出する。
バックライト１０１の赤外線放射量は、希ガスからの赤外線放射量が多い点灯直後において多くなるが、時間の経過とともに、蛍光ランプの発光は水銀発光が支配的になり、赤外線放射量は減少する。
本発明者は、種々の実験により、この赤外線放射量と液晶表示装置の遠隔操作機器の誤動作との関係を次のように見出した。ここで、遠隔操作機器は、液晶表示装置を遠隔操作するための機器であり、赤外線信号を送信する送信機と赤外線信号を受信する受信機とからなる。
図３はバックライト１０１の赤外線放射量と遠隔操作機器の誤動作との関係を説明するための図である。図３において、縦軸は赤外線放射量を示し、横軸は時間を示す。また、図３において実線はバックライトの赤外線放射量の経時変化を示す。図３に示すように、バックライト１０１からの赤外線放射量は、蛍光ランプの点灯開始時から時間経過とともに減少する。遠隔操作機器の受信機は、バックライト１０１のランプ点灯開始からある時間経過後の時間ｔｅまでは誤動作し、以後は正常に動作する。以下、時間ｔｅを誤動作継続時間と呼ぶ。なお、誤動作継続時間ｔｅは、バックライト１０１の赤外線放射量および遠隔操作機器の送信機の赤外線信号の強度によって変化する。
本発明者は、図１のバックライト装置２０１において、位相差Δθを選択的に設定することにより、誤動作継続時間ｔｅを調整することができることを見出した。以下、詳細に説明する。
図４は、図１のバックライト装置２０１において、位相差Δθを０°から３６０°まで３０°ずつ変化させた場合の誤動作継続時間ｔｅの変化を示す図である。図４においては、図１のバックライト装置２０１の第１の光源群１１と第２の光源群１２とを非同期で点灯させた場合の誤動作継続時間ｔｅの値を１として各位相差Δθにおける誤動作継続時間ｔｅの値を基準化している。なお、バックライト装置２０１の蛍光ランプの点灯周波数は４８．１ｋＨｚであり、遠隔操作機器の送信機の赤外線信号のキャリア周波数は３６．７ｋＨｚである。
図４に示すように、誤動作継続時間ｔｅの値は、位相差Δθによって周期的に変化しており、位相差Δθが０°、１８０°および３６０°のときに極大値を示し、位相差Δθが９０°および２７０°のときに極小値を示す。すなわち、位相差Δθが０°、１８０°および３６０°のときは受信機の誤動作の継続時間が最も長く、位相差Δθが９０°および２７０°のときは受信機の誤動作の継続時間が最も短くなる。以下、位相差Δθの違いによって誤動作継続時間ｔｅが変化する理由を説明する。
図５は、遠隔操作機器の受信機として一般に使用される受信センサＩＣ（集積回路）の内部ブロック図である。遠隔操作機器の送信機から送信された赤外線信号は、受信機のフォトダイオード３０１で感知されて電気信号に変換される。その電気信号はアンプ３０２により増幅され、ＤＣ成分除去用のコンデンサ３０３を通してＡＧＣ（自動利得制御）アンプ３０４に与えられる。ＡＧＣアンプ３０４の出力信号は、ＤＣ成分除去用コンデンサ３０５を通してＢＰＦ（バンド・パス・フィルタ）３０６に与えられる。ＢＰＦ３０６は、赤外線信号のキャリア周波数を含む周波数帯域の成分を通過させ、それ以外の周波数成分を大きく減衰させる。ＢＰＦ３０６の出力信号はピークホールド回路３０７を介してＡＧＣアンプ３０４の利得制御端子に与えられる。それにより、ＢＰＦ３０６の出力信号のレベルが一定に調整される。復調器３０８は、ＢＰＦ３０６の出力信号を復調し、出力回路３０９を介して出力する。
図５に示すように、フォトダイオード３０１とＢＰＦ３０６との間には、複数のコンデンサ３０３，３０５が設けられているので、ＤＣ成分は完全に除去される。つまり、受信機の誤動作には、バックライト１０１から放射される赤外線のＡＣ成分が大きく影響していると考えられる。
次に、誤動作継続時間ｔｅが極大値を示した場合（Δθ＝０°）および極小値を示した場合（Δθ＝９０°）のバックライト１０１の赤外線放射強度について説明する。なお、以下の説明においては、蛍光ランプから放射される赤外線の強度波形をサイン曲線として近似する。
図６は、同期信号ＳＹ１と同期信号ＳＹ２との位相差Δθが０°である場合の駆動電圧ＶＤ１，ＶＤ２の波形、第１および第２の光源群１１，１２の赤外線放射強度の波形およびバックライト１０１の赤外線放射強度の波形を示した図である。また、図７は、同期信号ＳＹ１と同期信号ＳＹ２との位相差Δθが９０°である場合の駆動電圧ＶＤ１，ＶＤ２の波形、第１および第２の光源群１１，１２の赤外線放射強度の波形およびバックライト１０１の赤外線放射強度の波形を示した図である。なお、図６および図７においては、バックライト１０１の赤外線放射強度の波形は、第１の光源群１１の赤外線放射強度と第２の光源群１２の赤外線放射強度との合成強度波形である。
図６（ａ）に示すように、同期信号ＳＹ１と同期信号ＳＹ２との位相差Δθが０°の場合、図６（ｂ）に示すように、駆動電圧ＶＤ１と駆動電圧ＶＤ２との位相差Δθも０となる。この場合、図６（ｃ）に示すように、第１の光源群１１の赤外線放射強度と第２の光源群の赤外線放射強度との位相差Δθも０となる。そのため、第１の光源群１１の赤外線放射強度と第２の光源群１２の赤外線放射強度とが強め合うように合成されるので、バックライト１０１の赤外線放射強度の波形のＡＣ成分の振幅が大きくなる。このように、ＡＣ成分の振幅が大きくなることにより、受信機の誤動作が継続する時間が長くなると考えられる。
一方、図７（ａ）に示すように、同期信号ＳＹ１と同期信号ＳＹ２との位相差Δθが９０°の場合、図７（ｂ）に示すように、駆動電圧ＶＤ１と駆動電圧ＶＤ２との位相差Δθも９０°となる。この場合、図７（ｃ）に示すように、第１の光源群１１の赤外線放射強度と第２の光源群の赤外線放射強度との位相差Δθも９０°となる。そのため、バックライト１０１の赤外線放射強度においては、ＡＣ成分にＤＣ成分が重畳されるが、ＡＣ成分の振幅が小さく抑えられる。このように、ＡＣ成分の振幅が小さくなることにより、受信機の誤動作が継続する時間が短くなると考えられる。
なお、位相差Δθが１８０°および３６０°の場合は、図６（ｃ）と同じ赤外線放射強度の波形を示し、位相差Δθが２７０°の場合は、図７（ｃ）と同じ赤外線放射強度の波形を示す。
したがって、同期信号ＳＹ１と同期信号ＳＹ２との位相差Δθは、６０°〜１２０°または２４０°〜３００°の範囲内に設定することが好ましい。それにより、誤動作継続時間ｔｅを第１の光源群１１と第２の光源群１２とを非同期で点灯させた場合の誤動作継続時間ｔｅよりも小さくすることができる。
また、同期信号ＳＹ１と同期信号ＳＹ２との位相差Δθは、７５°〜１０５°または２５５°〜２８５°の範囲内に設定することがより好ましい。それにより、誤動作継続時間ｔｅを十分に小さくすることができる。加えて、誤動作継続時間がバックライト装置を備えた表示装置の起動シーケンス内に収まるので、実質的に表示装置が誤動作しなくなる。
また、同期信号ＳＹ１と同期信号ＳＹ２との位相差Δθは、９０°または２７０°にすることが最も好ましい。それにより、誤動作継続時間ｔｅを最も小さくすることができる。
以上のように、同期信号ＳＹ１とＳＹ２との位相差Δθを６０°〜１２０°または２４０°〜３００°の範囲内に設定することにより、バックライト１０１の赤外線放射強度の波形におけるＡＣ成分を小さく抑えることができる。それにより、受信機の誤動作を低減することができる。
（第２の実施の形態）
図８は本発明の第２の実施の形態に係るバックライト装置の構成を示すブロック図である。
図８のバックライト装置２０３は、駆動装置１０２およびバックライト１０３により構成される。駆動装置１０２は、駆動回路１ａ，１ｂ，１ｃ，１ｄ、遅延回路２および位相反転回路３ａ，３ｂを備える。バックライト１０３は、第１の光源群１３および第２の光源群１４を備える。また、第１の光源群１３は蛍光ランプ２１〜２４を備え、第２の光源群１４は蛍光ランプ２５〜２８を備える。
なお、図８のバックライト装置２０３は、液晶表示装置において、図２のバックライト装置２０１と同様に液晶パネル２０２の背面側に設けられる。
図８の駆動回路１ａおよび遅延回路２には同期信号ＳＹ３が与えられる。駆動回路１ａは、同期信号ＳＹ３に同期して蛍光ランプ２１，２２に交流の駆動電圧ＶＤ１を与える。それにより、蛍光ランプ２１，２２が点灯する。また、位相反転回路３ａは、同期信号ＳＹ３に対して１８０°位相がずれた同期信号ＳＹ４を駆動回路１ｃに与える。駆動回路１ｃは同期信号ＳＹ４に同期して蛍光ランプ２３，２４に交流の駆動電圧ＶＤ３を与える。それにより、蛍光ランプ２３，２４が点灯する。
また、遅延回路２は、同期信号ＳＹ３を予め設定された位相遅延させ、遅延された同期信号ＳＹ５を駆動回路１ｂに与える。駆動回路１ｂは、同期信号ＳＹ５に同期して蛍光ランプ２５，２６に交流の駆動電圧ＶＤ２を与える。それにより、蛍光ランプ２５，２６が点灯する。また、位相反転回路３ｂは、同期信号ＳＹ５に対して１８０°位相がずれた同期信号ＳＹ６を駆動回路１ｄに与える。駆動回路１ｄは、同期信号ＳＹ６に同期して蛍光ランプ２７，２８に交流の駆動電圧ＶＤ４を与える。それにより、蛍光ランプ２７，２８が点灯する。ここで、同期信号ＳＹ３と同期信号ＳＹ５との位相差をΔθとする。
以下、同期信号ＳＹ３と同期信号ＳＹ５との位相差Δθが９０°である場合のバックライト１０３の赤外線放射強度の波形について説明する。
図９は、同期信号ＳＹ３と同期信号ＳＹ５との位相差Δθが９０°である場合の駆動電圧ＶＤ１，ＶＤ２，ＶＤ３，ＶＤ４の波形、蛍光ランプ２１〜２４の赤外線放射強度の波形、蛍光ランプ２５〜２８の赤外線放射強度の波形、第１および第２の光源群１３，１４の赤外線放射強度の波形およびバックライト１０３の赤外線放射強度の波形を示した図である。
なお、図９において。第１の光源群１３の赤外線放射強度の波形は蛍光ランプ２１〜２４の赤外線放射強度の合成強度波形であり、第２の光源群１４の赤外線放射強度の波形は蛍光ランプ２５〜２８の赤外線放射強度の合成強度波形であり、バックライト１０３の赤外線放射強度の波形は第１の光源群１３の赤外線放射強度と第２の光源群１４の赤外線放射強度との合成強度波形である。
図８の構成においては、図９（ｂ）に示すように、駆動電圧ＶＤ３は駆動電圧ＶＤ１に対して逆相になる。また、駆動電圧ＶＤ１と駆動電圧ＶＤ２との位相差Δθは９０°となり、駆動電圧ＶＤ４は駆動電圧ＶＤ２に対して逆相になる。
この場合、蛍光ランプ２１，２２と蛍光ランプ２３，２４とは同期してかつ逆位相で点灯する。それにより、第１の光源群１１において各蛍光ランプから発生するノイズ成分が相殺される。また、第２の光源群１２においても、蛍光ランプ２５，２６と蛍光ランプ２７，２８とが同期してかつ逆位相で点灯するので、各蛍光ランプから発生するノイズ成分が相殺される。これらの結果、液晶パネル２０２上に発生する干渉ノイズを低減することができる。
また、図９（ｃ）に示すように、蛍光ランプ２１〜２４の各赤外線放射強度の位相は同一になり、蛍光ランプ２５〜２８の各赤外線放射強度の位相も同一になる。ここで、蛍光ランプ２１〜２４の赤外線放射強度と蛍光ランプ２５〜２８の赤外線強度との位相差Δθは９０°であるので、第１の光源群１３の赤外線放射強度と第２の光源群１４の赤外線放射強度との位相差Δθも９０°となる。この場合、バックライト１０３の赤外線放射強度においては、ＡＣ成分にＤＣ成分が重畳されるが、ＡＣ成分の振幅が小さく抑えられる。それにより、受信機の誤動作が継続する時間を短くすることができる。
なお、第２の実施の形態においても、誤動作継続時間ｔｅと位相差Δθとの関係は図４の関係を満たす。また、位相差Δθが２７０°の場合は、図９（ｃ）と同じ放射強度を示す。
したがって、同期信号ＳＹ３と同期信号ＳＹ５との位相差Δθは、６０°〜１２０°または２４０°〜３００°の範囲内に設定することが好ましい。それにより、誤動作継続時間ｔｅを第１の光源群１３と第２の光源群１４とを非同期で点灯させた場合の誤動作継続時間ｔｅよりも小さくすることができる。
また、同期信号ＳＹ３と同期信号ＳＹ５との位相差Δθは、７５°〜１０５°または２５５°〜２８５°の範囲内に設定することがより好ましい。それにより、誤動作継続時間ｔｅを十分に小さくすることができる。
また、同期信号ＳＹ３と同期信号ＳＹ５との位相差Δθは、９０°または２７０°にすることが最も好ましい。それにより、誤動作継続時間ｔｅを最も小さくすることができる。
以上のように、同期信号ＳＹ３と同期信号ＳＹ５との位相差Δθを６０°〜１２０°および２４０°〜３００°の範囲内に設定することにより、バックライト１０３の赤外線放射強度の波形におけるＡＣ成分を小さく抑えることができる。それにより、受信機の誤動作を低減することができる。
（第３の実施の形態）
図１０は本発明の第３の実施の形態に係るバックライト装置の構成を示すブロック図である。
図１０のバックライト装置２０４は、駆動装置１０４およびバックライト１０５により構成される。駆動装置１０４は、駆動回路１ａ，１ｂ，１ｃ，１ｄ、遅延回路２および位相反転回路３ａ，３ｂを備える。バックライト１０５は、第１の光源群１５および第２の光源群１６を備える。また、第１の光源群１５は蛍光ランプ２１〜２４を備え、第２の光源群１６は蛍光ランプ２５〜２８を備える。
図１０のバックライト装置２０４が図８のバックライト装置２０３と異なるのは次の点である。バックライト１０５において、第１の光源群１５が複数の第１のサブグループに区分され、第２の光源群１６が複数の第２のサブグループに区分されている。複数の第１のサブグループと複数の第２のサブグループとが交互に配置されている。蛍光ランプ２１，２２が１つの第１のサブグループを形成し、蛍光ランプ２３，２４が他の１つの第１のサブグループを形成する。また、蛍光ランプ２５，２６が１つの第２のサブグループを形成し、蛍光ランプ２７，２８が他の第２のサブグループを形成する。
それにより、第１の光源群１５の蛍光ランプ２１，２２に隣接するように第２の光源群１６の蛍光ランプ２５，２６が配置され、蛍光ランプ２５，２６の蛍光ランプ２１，２２とは反対側に隣接するように第１の光源群１５の蛍光ランプ２３，２４が配置され、蛍光ランプ２３，２４の蛍光ランプ２５，２６とは反対側に隣接するように第２の光源群１６の蛍光ランプ２７，２８が配置される。
この場合、バックライト１０５の赤外線放射強度の波形は第２の実施の形態におけるバックライト１０３の赤外線放射強度の波形と同一になるが、第１の光源群１５の第１のサブグループと第２の光源群１６の第２のサブグループとが交互に配置されているので、第１の光源群１５から放射される赤外線と第２の光源群１６から放射される赤外線とが近距離で合成される。それにより、図９において説明した効果がより顕著になる。その結果、遠隔操作機器の受信機の誤動作をさらに低減することができる。
（第４の実施の形態）
図１１は本発明の第４の実施の形態に係るバックライト装置の構成を示すブロック図である。
図１１のバックライト装置２０５は、駆動装置１０２およびバックライト１０６により構成される。駆動装置１０２は、駆動回路１ａ，１ｂ，１ｃ，１ｄ、遅延回路２および位相反転回路３ａ，３ｂを備える。バックライト１０６は、第１の光源群１７および第２の光源群１８を備える。また、第１の光源群１７は蛍光ランプ３１〜３３を備え、第２の光源群１８は蛍光ランプ３４〜３８を備える。
図１１のバックライト装置２０５が図８のバックライト装置２０３と異なる点は、バックライト１０６において、第１の光源群１７は蛍光ランプ３１〜３３を備え、第２の光源群１８は蛍光ランプ３４〜３８を備える点である。つまり、図１１のバックライト装置２０５においては、第２の光源群１８は第１の光源群１７よりも多くの蛍光ランプを備えている。このような構成においても、同期信号ＳＹ３と同期信号ＳＹ５との位相差Δθを６０°〜１２０°または２４０°〜３００°の範囲内に設定することにより、バックライト１０６の赤外線放射強度の波形におけるＡＣ成分を小さく抑えることができる。それにより、受信機の誤動作を低減することができる。
（その他の実施の形態）
上記第１〜第４の実施の形態においては、直下式のバックライト装置について説明したが、上記の構成をエッジ式のバックライト装置に適用してもよい。
図１２（ａ）は直管ランプを備えるエッジ式バックライト装置を用いた液晶表示装置の概略平面図であり、図１２（ｂ）は図１２（ａ）のＡ−Ａ線断面図である。
また、図１３（ａ）はＬ字型ランプを備えるエッジ式バックライト装置を用いた液晶表示装置の概略平面図であり、図１３（ｂ）は図１３（ａ）のＡ−Ａ線断面図である。
図１２の液晶表示装置は、液晶パネル２０２、導光板５０１および直管ランプ５０２，５０３を備える。直管ランプ５０２は、導光板５０１の一方の側部側に設けられ、直管ランプ５０３は、導光板５０１の他方の側部側に設けられる。
また、図１３の液晶表示装置は、液晶パネル２０２、導光板５０１、およびＬ字ランプ５０４，５０５を備える。Ｌ字ランプ５０４は、導光板５０１の長辺方向の一方の側部側および短辺方向の一方の側部側を覆うように設けられ、Ｌ字ランプ５０５は、導光板５０１の長辺方向の他方の側部側および短辺方向の他方の側部側を覆うように設けられる。
図１２および図１３の液晶表示装置においては、直管ランプ５０２，５０３およびＬ字ランプ５０４，５０５により発生された光は、導光板５０１に進入する。導光板５０１に進入した光は、導光板５０１に設けられた反射ドット（図示せず）または反射溝（図示せず）によって液晶パネル２０２全体に均一に照射されるように反射させられる。それにより、液晶パネル２０２の表示が行われる。
ここで、直管ランプ５０２およびＬ字ランプ５０４が図１の駆動回路１ａにより駆動され、直管ランプ５０３およびＬ字ランプ５０５が図１の駆動回路１ｂによって駆動される。それにより、上記第１の実施の形態において得られる効果と同様の効果を得ることができる。
また、上記の構成においては、導光板５０１において、直管ランプ５０２，５０３およびＬ字ランプ５０４，５０５により放射された赤外線がより均一に合成されるので、図７において説明した効果がより顕著になる。それにより、遠隔操作機器の受信機の誤動作を十分に低減することができる。
なお、上記実施の形態にける遅延回路２の代わりに、ＰＬＬ（位相同期ループ）回路、フィルタ回路等の他のアナログ回路を用いて位相をシフトさせる位相シフタを構成してもよい。
上記実施の形態においては、同期信号ＳＹ１および同期信号ＳＹ３が第１の同期信号に相当し、同期信号ＳＹ２および同期信号ＳＹ５が第２の同期信号に相当し、同期信号ＳＹ４が第３の同期信号に相当し、同期信号ＳＹ６が第４の同期信号に相当する。
また、駆動電圧ＶＤ１が第１の駆動電圧に相当し、駆動電圧ＶＤ２が第２の駆動電圧に相当し、駆動電圧ＶＤ３が第３の駆動電圧に相当し、駆動電圧ＶＤ４が第４の駆動電圧に相当し、駆動回路１ａが第１の駆動回路に相当し、駆動回路１ｂが第２の駆動回路に相当し、駆動回路１ｃが第３の駆動回路に相当し、駆動回路１ｄが第４の駆動回路に相当する。
また、遅延回路２が第１の信号生成回路に相当し、位相反転回路３ａが第２の信号生成回路に相当し、位相反転回路３ｂが第３の信号生成回路に相当する。
【図１】
2005027590.tif 000003
【図２】
2005027590.tif 000004
【図３】
2005027590.tif 000005
【図４】
2005027590.tif 000006
【図５】
2005027590.tif 000007
【図６】
2005027590.tif 000008
【図７】
2005027590.tif 000009
【図８】
2005027590.tif 000010
【図９】
2005027590.tif 000011
【図１０】
2005027590.tif 000012
【図１１】
2005027590.tif 000013
【図１２】
2005027590.tif 000014
【図１３】
2005027590.tif 000015
【図１４】
2005027590.tif 000016
【図１５】
2005027590.tif 000017
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
可視光および赤外線を放射する１以上の光源を含む第１の光源群と、
可視光および赤外線を放射する１以上の光源を含む第２の光源群と、
前記第１の光源群の１以上の光源を第１の同期信号に応答して駆動し、前記第２の光源群の１以上の光源を第２の同期信号に応答して駆動する駆動装置とを備え、
前記第１の同期信号と前記第２の同期信号との位相差は、６０度よりも大きく１２０度よりも小さい範囲内または２４０度よりも大きく３００度よりも小さい範囲内にある、バックライト装置。
【請求項２】
前記第１の光源群の１以上の光源および前記第２の光源群の１以上の光源の各々は蛍光ランプである、請求項１記載のバックライト装置。
【請求項３】
前記第１の光源群は複数の光源を含み、
前記駆動装置は、前記第１の光源群の前記複数の光源のうち一部を前記第１の同期信号に応答して駆動し、前記第１の光源群の前記複数の光源のうち残りを前記第１の同期信号に対して半周期異なる位相を有する第３の同期信号に応答して駆動する、請求項１記載のバックライト装置。
【請求項４】
前記第２の光源群は複数の光源を含み、
前記駆動装置は、前記第２の光源群の前記複数の光源のうち一部を前記第２の同期信号に応答して駆動し、前記第２の光源群の前記複数の光源のうち残りを前記第２の同期信号に対して半周期異なる位相を有する第４の同期信号に応答して駆動する、請求項３記載のバックライト装置。
【請求項５】
前記第１の光源群は複数の光源を含み、前記第１の光源群の複数の光源は複数の第１のサブグループに区分され、
前記複数の第１のサブグループと前記第２の光源群とが交互に配置された、請求項１記載のバックライト装置。
【請求項６】
前記第２の光源群は複数の光源を含み、前記第２の光源群の複数の光源は複数の第２のサブグループに区分され、
前記複数の第１のサブグループと前記第２のサブグループとが交互に配置された、請求項５記載のバックライト装置。
【請求項７】
前記第１の同期信号と前記第２の同期信号との位相差は、７５度から１０５度の範囲内または２５５度から２８５度の範囲内にある、請求項１記載のバックライト装置。
【請求項８】
前記第１の同期信号と前記第２の同期信号との位相差は、実質的に９０度または２７０度である、請求項１記載のバックライト装置。
【請求項９】
前記駆動装置は、
前記第１の同期信号に同期して第１の駆動電圧を前記第１の光源群の前記１以上の光源に印加する第１の駆動回路と、
前記第２の同期信号に同期して第２の駆動電圧を前記第２の光源群の前記１以上の光源に印加する第２の駆動回路とを含む、請求項１記載のバックライト装置。
【請求項１０】
前記駆動装置は、
前記第１の同期信号に基づいて前記第２の同期信号を生成する第１の信号生成回路をさらに含む、請求項９記載のバックライト装置。
【請求項１１】
前記駆動装置は、
前記第１の同期信号に同期して第１の駆動電圧を前記第１の光源群の前記複数の光源の前記一部に印加する第１の駆動回路と、
前記第２の同期信号に同期して第２の駆動電圧を前記第２の光源群の前記１以上の光源に印加する第２の駆動回路と、
前記第３の同期信号に同期して第３の駆動電圧を前記第１の光源群の前記複数の光源の前記残りに印加する第３の駆動回路とを含む、請求項３記載のバックライト装置。
【請求項１２】
前記駆動装置は、
前記第１の同期信号に基づいて前記第２の同期信号を生成する第１の信号生成回路と、
前記第１の同期信号に基づいて前記第３の同期信号を生成する第２の信号生成回路とをさらに含む、請求項１１記載のバックライト装置。
【請求項１３】
前記駆動装置は、
前記第１の同期信号に同期して第１の駆動電圧を前記第１の光源群の前記複数の光源の前記一部に印加する第１の駆動回路と、
前記第２の同期信号に同期して第２の駆動電圧を前記第２の光源群の前記複数の光源の前記一部に印加する第２の駆動回路と、
前記第３の同期信号に同期して第３の駆動電圧を前記第１の光源群の前記複数の光源の前記残りに印加する第３の駆動回路と、
前記第４の同期信号に同期して第４の駆動電圧を前記第２の光源群の前記複数の光源の前記残りに印加する第４の駆動回路とを含む、請求項４記載のバックライト装置。
【請求項１４】
前記駆動装置は、
前記第１の同期信号に基づいて前記第２の同期信号を生成する第１の信号生成回路と、
前記第１の同期信号に基づいて前記第３の同期信号を生成する第２の信号生成回路と、
前記第２の同期信号に基づいて前記第４の同期信号を生成する第３の信号生成回路とをさらに含む、請求項１３記載のバックライト装置。
【請求項１５】
前記第１の光源群の前記１以上の光源の数と前記第２の光源群の前記１以上の光源の数とが等しい、請求項１記載のバックライト装置。
【請求項１６】
前記第１の光源群の前記１以上の光源および前記第２の光源群の前記１以上の光源が直管ランプまたはＬ字ランプである、請求項１記載のバックライト装置。
【請求項１７】
導光板をさらに備え、
前記直管ランプまたはＬ字ランプは前記導光板の側面に配置される、請求項１６記載のバックライト装置。
【請求項１８】
映像を表示する表示パネルと、
前記表示パネルの背面に配置されるバックライト装置とを備え、
前記バックライト装置は、
可視光および赤外線を放射する１以上の光源を含む第１の光源群と、
可視光および赤外線を放射する１以上の光源を含む第２の光源群と、
前記第１の光源群の１以上の光源を第１の同期信号に応答して駆動し、前記第２の光源群の１以上の光源を第２の同期信号に応答して駆動する駆動装置とを備え、
前記第１の同期信号と前記第２の同期信号との位相差は、６０度よりも大きく１２０度よりも小さい範囲内または２４０度よりも大きく３００度よりも小さい範囲内にある、表示装置。
【請求項１９】
前記表示パネルは、液晶表示パネルである、請求項１８記載の表示装置。
【手続補正２】
【補正対象書類名】明細書
【補正対象項目名】全文
【補正方法】変更
【補正の内容】
【発明の詳細な説明】
【技術分野】
【０００１】
本発明は、バックライト装置およびそれを備えた表示装置に関する。
【背景技術】
【０００２】
近年、ＣＲＴ（陰極線管）に代わる薄型表示装置として、ＰＤＰ（プラズマディスプレイパネル）および液晶表示装置への期待が高まっている。特に、液晶表示装置は、薄型軽量、低消費電力等の点で優れており、今後ますます需要が増えることが予想される。
【０００３】
液晶表示装置の表示は、液晶パネルの背面側に配置されるバックライト装置と呼ばれる光源を利用することにより行われる。液晶表示装置の液晶自体が発光することはなく、液晶表示装置の輝度は、バックライト装置から放射される光量に大きく左右される。
【０００４】
図１４は従来のバックライト装置の一例を示すブロック図である。図１４のバックライト装置は、複数の駆動回路５０および各駆動回路５０に２本ずつ接続される複数の蛍光ランプ６０を備える。
【０００５】
各駆動回路５０は、それにそれぞれ接続される蛍光ランプ６０に駆動電圧を与える。それにより、各蛍光ランプ６０が点灯する。
【０００６】
ここで、図１４のバックライト装置においては、各駆動回路５０はそれぞれ独立に制御されており、各駆動回路５０から各蛍光ランプ６０に与えられる駆動電圧は非同期である。そのため、同じ駆動回路５０に接続される２本の蛍光ランプ６０は同期点灯するが、互いに異なる駆動回路５０に接続される蛍光ランプ６０同士は非同期で点灯する。
【０００７】
上記のようなバックライト装置を用いた液晶表示装置においては、蛍光ランプ６０の数が増大した場合、液晶パネル上に複数の蛍光ランプ６０による干渉ノイズが発生する。
【０００８】
特許第３２９３５９２号公報には、上記の問題を解決する方法が報告されている。
【０００９】
図１５に示すように、特許第３２９３５９２号公報に係るバックライト表示装置は、複数の駆動ブロック７０および各駆動ブロック７０に２本ずつ接続される複数のランプ８１〜８８を備える。図１５のバックライト表示装置においては、ランプ８３，８４の発振波形がランプ８１，８２の発振波形と逆相となり、ランプ８５，８６の発振波形が、ランプ８３，８４の発振波形と逆相になり、ランプ８７，８８の発振波形が、ランプ８５，８６の発振波形と逆そうにとなるように駆動される。それにより、複数のランプ８１〜８８による干渉ノイズを打ち消すことができる。
【００１０】
しかしながら、上記特許第３２９３５９２号公報の液晶表示装置においては、液晶表示装置の近くで、高周波帯域（約３０ｋＨｚ〜約６０ｋＨｚ）の赤外線信号を送信する送信機および受信する受信機からなる遠隔操作機器を操作した場合、遠隔操作機器の受信機に誤動作が発生する。ここで、遠隔操作機器の送信機は、例えば、液晶表示装置の操作リモコンであり、受信機は、例えば、液晶表示装置本体に設置される赤外線受信センサＩＣ（集積回路）である。
【発明の開示】
【００１１】
本発明の目的は、赤外線信号を利用した機器の誤動作を低減することができるバックライト装置およびそれを備えた表示装置を提供することである。
【００１２】
本発明の一局面に従うバックライト装置は、視光および赤外線を放射する１以上の光源を含む第１の光源群と、可視光および赤外線を放射する１以上の光源を含む第２の光源群と、第１の光源群の１以上の光源を第１の同期信号に応答して駆動し、第２の光源群の１以上の光源を第２の同期信号に応答して駆動する駆動装置とを備え、第１の同期信号と第２の同期信号との位相差は、６０度よりも大きく１２０度よりも小さい範囲内または２４０度よりも大きく３００度よりも小さい範囲内にあるものである。
【００１３】
そのバックライト装置においては、第１の光源群の１以上の光源が第１の同期信号に応答して駆動され、第２の光源群の１以上の光源が第２の同期信号に応答して駆動される。それにより、第１の光源群の１以上の光源から可視光および赤外線が放射され、第２の光源群の１以上の光源から可視光および赤外線が放射される。その結果、第１の光源群の１以上の光源から放射される赤外線の強度の波形と第２の光源群の１以上の光源から放射される赤外線の強度の波形とが合成される。
【００１４】
この場合、第１の同期信号と第２の同期信号との位相差が６０度よりも大きく１２０度よりも小さい範囲内または２４０度よりも大きく３００度よりも小さい範囲内にある。それにより、合成された赤外線の強度の波形の振幅が平均化され、直流成分のレベルが増加するとともに交流成分の振幅が減少する。その結果、他の機器から送信される赤外線信号に与える影響が低減され、他の機器の誤動作の程度が低減される。
【００１５】
第１の光源群の１以上の光源および第２の光源群の１以上の光源の各々は蛍光ランプであってもよい。
【００１６】
この場合、第１の光源群の１以上の蛍光ランプから放射される赤外線の強度の波形と第２の光源群の１以上の蛍光ランプから放射される赤外線の強度の波形とが合成され、合成された赤外線の強度の波形において直流成分のレベルが増加するとともに交流成分の振幅が減少する。その結果、他の機器から送信される赤外線信号に与える影響が低減され、他の機器の誤動作の程度が低減される。
【００１７】
第１の光源群は複数の光源を含み、駆動装置は、第１の光源群の複数の光源のうち一部を第１の同期信号に応答して駆動し、第１の光源群の複数の光源のうち残りを第１の同期信号に対して半周期異なる位相を有する第３の同期信号に応答して駆動してもよい。
【００１８】
この場合、第１の光源群の複数の光源のうち一部が第１の同期信号に応答して駆動され、第１の光源群の複数の光源のうち残りが第１の同期信号に対して半周期異なる位相を有する第３の同期信号に応答して駆動される。それにより、第１の光源群の複数の光源のうち一部から発生されるノイズと第１の光源群の複数の光源のうち残りから発生されるノイズとが打ち消し合う。その結果、複数の光源からのノイズにより表示パネルに表示される画像にノイズが発生することが防止される。
【００１９】
第２の光源群は複数の光源を含み、駆動装置は、第２の光源群の複数の光源のうち一部を第２の同期信号に応答して駆動し、第２の光源群の複数の光源のうち残りを第２の同期信号に対して半周期異なる位相を有する第４の同期信号に応答して駆動してもよい。
【００２０】
この場合、第２の光源群の複数の光源のうち一部が第２の同期信号に応答して駆動され、第２の光源群の複数の光源のうち残りが第２の同期信号に対して半周期異なる位相を有する第４の同期信号に応答して駆動される。それにより、第２の光源群の複数の光源のうち一部から発生されるノイズと第２の光源群の複数の光源のうち残りから発生されるノイズとが打ち消し合う。その結果、複数の光源からのノイズにより表示パネルに表示される画像にノイズが発生することが防止される。
【００２１】
第１の光源群は複数の光源を含み、第１の光源群の複数の光源は複数の第１のサブグループに区分され、複数の第１のサブグループと第２の光源群とが交互に配置されてもよい。
【００２２】
この場合、第１の光源群の各光源と第２の光源群の各光源との距離が短くなるので、第１の光源群の各光源から放射される赤外線の強度の波形と第２の光源群の各光源から放射される赤外線の強度の波形とが十分に合成される。それにより、合成された赤外線の強度の波形において交流成分の振幅が確実に減少する。その結果、他の機器から送信される赤外線信号に与える影響が確実に低減され、他の機器がバックライト装置の近くで操作された場合でも、他の機器の誤動作の程度が十分に低減される。
【００２３】
第２の光源群は複数の光源を含み、第２の光源群の複数の光源は複数の第２のサブグループに区分され、複数の第１のサブグループと第２のサブグループとが交互に配置されてもよい。
【００２４】
この場合、第１の光源群の各光源と第２の光源群の各光源との距離がさらに短くなるので、第１の光源群の各光源から放射される赤外線の強度の波形と第２の光源群の各光源から放射される赤外線の強度の波形とがさらに十分に合成される。それにより、合成された赤外線の強度の波形において交流成分の振幅がさらに確実に減少する。その結果、他の機器から送信される赤外線信号に与える影響がさらに確実に低減され、他の機器がバックライト装置の近くで操作された場合でも、他の機器の誤動作の程度がさらに十分に低減される。
【００２５】
第１の同期信号と第２の同期信号との位相差は、７５度から１０５度の範囲内または２５５度から２８５度の範囲内にあってもよい。
【００２６】
この場合、合成された赤外線の強度の波形において直流成分のレベルがより増加するとともに交流成分の振幅がより減少する。その結果、他の機器から送信される赤外線信号に与える影響がより低減され、他の機器の誤動作の程度がより低減される。加えて、誤動作継続時間がバックライト装置を備えた表示装置の起動シーケンス内に収まるので、実質的に表示装置が誤動作しなくなる。
【００２７】
第１の同期信号と第２の同期信号との位相差は、実質的に９０度または２７０度であってもよい。
【００２８】
この場合、合成された赤外線の強度の波形において直流成分のレベルが最も増加するとともに交流成分の振幅が最も減少する。その結果、他の機器から送信される赤外線信号に与える影響が最も低減され、他の機器の誤動作の程度が十分に低減される。
【００２９】
駆動装置は、第１の同期信号に同期して第１の駆動電圧を第１の光源群の１以上の光源に印加する第１の駆動回路と、第２の同期信号に同期して第２の駆動電圧を第２の光源群の１以上の光源に印加する第２の駆動回路とを含んでもよい。
【００３０】
この場合、第１の同期信号に同期して第１の駆動電圧が第１の光源群の１以上の光源に印加され、第２の同期信号に同期して第２の駆動電圧が第２の光源群の１以上の光源に印加される。
【００３１】
第１の駆動電圧と第２の駆動電圧との位相差は６０度よりも大きく１２０度よりも小さい範囲内または２４０度よりも大きく３００度よりも小さい範囲内にある。それにより、合成された赤外線の強度の波形において直流成分のレベルが増加するとともに交流成分の振幅が減少する。その結果、他の機器から送信される赤外線信号に与える影響が低減され、他の機器の誤動作の程度が低減される。
【００３２】
駆動装置は、第１の同期信号に基づいて第２の同期信号を生成する第１の信号生成回路をさらに含んでもよい。
【００３３】
この場合、第１の同期信号に基づいて第１の同期信号に対して上記の位相差を有する第２の同期信号が生成される。
【００３４】
駆動装置は、第１の同期信号に同期して第１の駆動電圧を第１の光源群の複数の光源の一部に印加する第１の駆動回路と、第２の同期信号に同期して第２の駆動電圧を第２の光源群の１以上の光源に印加する第２の駆動回路と、第３の同期信号に同期して第３の駆動電圧を第１の光源群の複数の光源の残りに印加する第３の駆動回路とを含んでもよい。
【００３５】
この場合、第１の同期信号に同期して第１の駆動電圧が第１の光源群の複数の光源の一部に印加され、第２の同期信号に同期して第２の駆動電圧が第２の光源群の１以上の光源に印加される。また、第３の同期信号に同期して第３の駆動電圧が第１の光源群の複数の光源の残りに印加される。
【００３６】
第１の駆動電圧と第２の駆動電圧との位相差は６０度よりも大きく１２０度よりも小さい範囲内または２４０度よりも大きく３００度よりも小さい範囲内にある。それにより、合成された赤外線の強度の波形において直流成分のレベルが増加するとともに交流成分の振幅が減少する。その結果、他の機器から送信される赤外線信号に与える影響が低減され、他の機器の誤動作の程度が低減される。
【００３７】
また、第１の駆動電圧の位相と第３の駆動電圧の位相とが半周期ずれている。それにより、第１の光源群の複数の光源のうち一部から発生されるノイズと第１の光源群の複数の光源のうち残りから発生されるノイズとが打ち消し合う。
【００３８】
駆動装置は、第１の同期信号に基づいて第２の同期信号を生成する第１の信号生成回路と、第１の同期信号に基づいて第３の同期信号を生成する第２の信号生成回路とをさらに含んでもよい。
【００３９】
この場合、第１の同期信号に基づいて第１の同期信号に対して上記の位相差を有する第２の同期信号が生成される。また、第１の同期信号に基づいて第１の同期信号に対して半周期異なる位相を有する第３の同期信号が生成される。
【００４０】
駆動装置は、第１の同期信号に同期して第１の駆動電圧を第１の光源群の複数の光源の一部に印加する第１の駆動回路と、第２の同期信号に同期して第２の駆動電圧を第２の光源群の複数の光源の一部に印加する第２の駆動回路と、第３の同期信号に同期して第３の駆動電圧を第１の光源群の複数の光源の残りに印加する第３の駆動回路と、第４の同期信号に同期して第４の駆動電圧を第２の光源群の複数の光源の残りに印加する第４の駆動回路とを含んでもよい。
【００４１】
この場合、第１の同期信号に同期して第１の駆動電圧が第１の光源群の複数の光源の一部に印加され、第２の同期信号に同期して第２の駆動電圧が第２の光源群の複数の光源の一部に印加される。また、第３の同期信号に同期して第３の駆動電圧が第１の光源群の複数の光源の残りに印加され、第４の同期信号に同期して第４の駆動電圧が第２の光源群の複数の光源の残りに印加される。
【００４２】
第１の駆動電圧と第２の駆動電圧との位相差は６０度よりも大きく１２０度よりも小さい範囲内または２４０度よりも大きく３００度よりも小さい範囲内にある。また、第３の駆動電圧と第４の駆動電圧との位相差は６０度よりも大きく１２０度よりも小さい範囲内または２４０度よりも大きく３００度よりも小さい範囲内にある。それにより、合成された赤外線の強度の波形において直流成分のレベルが増加するとともに交流成分の振幅が減少する。その結果、他の機器から送信される赤外線信号に与える影響が低減され、他の機器の誤動作の程度が低減される。
【００４３】
また、第１の駆動電圧の位相と第３の駆動電圧の位相とが半周期ずれている。それにより、第１の光源群の複数の光源のうち一部から発生されるノイズと第１の光源群の複数の光源のうち残りから発生されるノイズとが打ち消し合う。さらに、第２の駆動電圧と第４の駆動電圧との位相差が半周期ずれている。それにより、第２の光源群の複数の光源のうち一部から発生されるノイズと第２の光源群の複数の光源のうち残りから発生されるノイズとが打ち消し合う。
【００４４】
駆動装置は、第１の同期信号に基づいて第２の同期信号を生成する第１の信号生成回路と、第１の同期信号に基づいて第３の同期信号を生成する第２の信号生成回路と、第２の同期信号に基づいて第４の同期信号を生成する第３の信号生成回路とをさらに含んでもよい。
【００４５】
この場合、第１の同期信号に基づいて第１の同期信号に対して上記の位相差を有する第２の同期信号が生成される。また、第１の同期信号に基づいて第１の同期信号に対して半周期異なる位相を有する第３の同期信号が生成される。さらに、第２の同期信号に基づいて第２の同期信号に対して半周期異なる位相を有する第３の同期信号が生成される。
【００４６】
第１の光源群の１以上の光源の数と第２の光源群の１以上の光源の数とが等しくてもよい。
【００４７】
この場合、第１の光源群の各光源から放射される赤外線の強度の波形と第２の光源群の各光源から放射される赤外線の強度の波形とが十分に合成される。それにより、合成された赤外線の強度の波形において交流成分の振幅が確実に減少する。その結果、他の機器から送信される赤外線信号に与える影響が確実に低減され、他の機器の誤動作の程度が十分に低減される。
【００４８】
第１の光源群の１以上の光源および第２の光源群の１以上の光源が直管ランプまたはＬ字ランプであってもよい。
【００４９】
この場合、第１の光源群の１以上の直管ランプまたはＬ字ランプから放射される赤外線の強度の波形と第２の光源群の直管ランプまたはＬ字ランプから放射される赤外線の強度の波形とが合成され、合成された赤外線の強度の波形において直流成分のレベルが増加するとともに交流成分の振幅が減少する。その結果、他の機器から送信される赤外線信号に与える影響が低減され、他の機器の誤動作の程度が低減される。
【００５０】
導光板をさらに備え、直管ランプまたはＬ字ランプは導光板の側面に配置されてもよい。
【００５１】
この場合、直管ランプまたはＬ字ランプにより発生された可視光および赤外線が導光板の側面から放射され、導光板により拡散される。
【００５２】
本発明の他の局面に従う表示装置は、映像を表示する表示パネルと、表示パネルの背面に配置されるバックライト装置とを備え、バックライト装置は、可視光および赤外線を放射する１以上の光源を含む第１の光源群と、可視光および赤外線を放射する１以上の光源を含む第２の光源群と、第１の光源群の１以上の光源を第１の同期信号に応答して駆動し、第２の光源群の１以上の光源を第２の同期信号に応答して駆動する駆動装置とを備え、第１の同期信号と第２の同期信号との位相差は、６０度よりも大きく１２０度よりも小さい範囲内または２４０度よりも大きく３００度よりも小さい範囲内にあるものである。
【００５３】
その表示装置においては、バックライト装置から放射された可視光が表示パネルの背面に照射される。バックライト装置においては、第１の光源群の１以上の光源が第１の同期信号に応答して駆動され、第２の光源群の１以上の光源が第２の同期信号に応答して駆動される。それにより、第１の光源群の１以上の光源から可視光および赤外線が放射され、第２の光源群の１以上の光源から可視光および赤外線が放射される。その結果、第１の光源群の１以上の光源から放射される赤外線の強度の波形と第２の光源群の１以上の光源から放射される赤外線の強度の波形とが合成される。
【００５４】
この場合、第１の同期信号と第２の同期信号との位相差が６０度よりも大きく１２０度よりも小さい範囲内または２４０度よりも大きく３００度よりも小さい範囲内にある。それにより、合成された赤外線の強度の波形の振幅が平均化され、直流成分のレベルが増加するとともに交流成分の振幅が減少する。その結果、他の機器から送信される赤外線信号に与える影響が低減され、他の機器の誤動作の程度が低減される。
【００５５】
表示パネルは、液晶表示パネルであってもよい。
【００５６】
この場合、バックライト装置から放射された可視光が液晶表示パネルの背面に照射される。
【発明を実施するための最良の形態】
【００５７】
以下、本発明の形態について図１〜図１３を参照して説明する。
【００５８】
（第１の実施の形態）
図１は本発明の第１の実施の形態に係るバックライト装置の構成を示すブロック図であり、図２は図１のバックライト装置を用いた液晶表示装置の概略断面図である。
【００５９】
図１のバックライト装置２０１は、駆動装置１００およびバックライト１０１により構成される。駆動装置１００は、駆動回路１ａ、駆動回路１ｂおよび遅延回路２を備える。バックライト１０１は、第１の光源群１１および第２の光源群１２を備える。第１および第２の光源群は、一または複数の蛍光ランプからなる。
【００６０】
また、図２の液晶表示装置は、液晶パネル２０２の背面側に図１のバックライト装置２０１を配設した構成を有する。液晶パネル２０２は、バックライト装置２０１からの光を用いることにより表示を行う。
【００６１】
図１の駆動回路１ａおよび遅延回路２には同期信号ＳＹ１が与えられる。駆動回路１ａは、同期信号ＳＹ１に同期して第１の光源群１１に交流の駆動電圧ＶＤ１を与える。それにより、第１の光源群１１が点灯する。
【００６２】
また、遅延回路２は、同期信号ＳＹ１を予め設定された位相遅延させ、遅延された同期信号ＳＹ２を駆動回路１ｂに与える。駆動回路１ｂは、同期信号ＳＹ２に同期して第２の光源群１２に交流の駆動電圧ＶＤ２を与える。それにより、第２の光源群１２が点灯する。ここで、同期信号ＳＹ１と同期信号ＳＹ２との位相差をΔθとする。この位相差Δθについては後述する。
【００６３】
一般に、バックライト１０１に用いられる蛍光ランプには、水銀原子の他に、緩衝ガスとしてネオン、アルゴン等の希ガスが封入されている。水銀原子から放射される紫外線（主に２５７．３ｎｍの輝線）は蛍光ランプ内面に塗布された蛍光体により可視光に変換されて外部に放射される。一方、希ガスは、通常蛍光ランプの点灯開始時の駆動電圧を低くするために使用されるが、同時に赤色可視光および赤外線を放出する。
【００６４】
バックライト１０１の赤外線放射量は、希ガスからの赤外線放射量が多い点灯直後において多くなるが、時間の経過とともに、蛍光ランプの発光は水銀発光が支配的になり、赤外線放射量は減少する。
【００６５】
本発明者は、種々の実験により、この赤外線放射量と液晶表示装置の遠隔操作機器の誤動作との関係を次のように見出した。ここで、遠隔操作機器は、液晶表示装置を遠隔操作するための機器であり、赤外線信号を送信する送信機と赤外線信号を受信する受信機とからなる。
【００６６】
図３はバックライト１０１の赤外線放射量と遠隔操作機器の誤動作との関係を説明するための図である。図３において、縦軸は赤外線放射量を示し、横軸は時間を示す。また、図３において実線はバックライトの赤外線放射量の経時変化を示す。図３に示すように、バックライト１０１からの赤外線放射量は、蛍光ランプの点灯開始時から時間経過とともに減少する。遠隔操作機器の受信機は、バックライト１０１のランプ点灯開始からある時間経過後の時間ｔｅまでは誤動作し、以後は正常に動作する。以下、時間ｔｅを誤動作継続時間と呼ぶ。なお、誤動作継続時間ｔｅは、バックライト１０１の赤外線放射量および遠隔操作機器の送信機の赤外線信号の強度によって変化する。
【００６７】
本発明者は、図１のバックライト装置２０１において、位相差Δθを選択的に設定することにより、誤動作継続時間ｔｅを調整することができることを見出した。以下、詳細に説明する。
【００６８】
図４は、図１のバックライト装置２０１において、位相差Δθを０°から３６０°まで３０°ずつ変化させた場合の誤動作継続時間ｔｅの変化を示す図である。図４においては、図１のバックライト装置２０１の第１の光源群１１と第２の光源群１２とを非同期で点灯させた場合の誤動作継続時間ｔｅの値を１として各位相差Δθにおける誤動作継続時間ｔｅの値を基準化している。なお、バックライト装置２０１の蛍光ランプの点灯周波数は４８．１ｋＨｚであり、遠隔操作機器の送信機の赤外線信号のキャリア周波数は３６．７ｋＨｚである。
【００６９】
図４に示すように、誤動作継続時間ｔｅの値は、位相差Δθによって周期的に変化しており、位相差Δθが０°、１８０°および３６０°のときに極大値を示し、位相差Δθが９０°および２７０°のときに極小値を示す。すなわち、位相差Δθが０°、１８０°および３６０°のときは受信機の誤動作の継続時間が最も長く、位相差Δθが９０°および２７０°のときは受信機の誤動作の継続時間が最も短くなる。以下、位相差Δθの違いによって誤動作継続時間ｔｅが変化する理由を説明する。
【００７０】
図５は、遠隔操作機器の受信機として一般に使用される受信センサＩＣ（集積回路）の内部ブロック図である。遠隔操作機器の送信機から送信された赤外線信号は、受信機のフォトダイオード３０１で感知されて電気信号に変換される。その電気信号はアンプ３０２により増幅され、ＤＣ成分除去用のコンデンサ３０３を通してＡＧＣ（自動利得制御）アンプ３０４に与えられる。ＡＧＣアンプ３０４の出力信号は、ＤＣ成分除去用コンデンサ３０５を通してＢＰＦ（バンド・パス・フィルタ）３０６に与えられる。ＢＰＦ３０６は、赤外線信号のキャリア周波数を含む周波数帯域の成分を通過させ、それ以外の周波数成分を大きく減衰させる。ＢＰＦ３０６の出力信号はピークホールド回路３０７を介してＡＧＣアンプ３０４の利得制御端子に与えられる。それにより、ＢＰＦ３０６の出力信号のレベルが一定に調整される。復調器３０８は、ＢＰＦ３０６の出力信号を復調し、出力回路３０９を介して出力する。
【００７１】
図５に示すように、フォトダイオード３０１とＢＰＦ３０６との間には、複数のコンデンサ３０３，３０５が設けられているので、ＤＣ成分は完全に除去される。つまり、受信機の誤動作には、バックライト１０１から放射される赤外線のＡＣ成分が大きく影響していると考えられる。
【００７２】
次に、誤動作継続時間ｔｅが極大値を示した場合（Δθ＝０°）および極小値を示した場合（Δθ＝９０°）のバックライト１０１の赤外線放射強度について説明する。なお、以下の説明においては、蛍光ランプから放射される赤外線の強度波形をサイン曲線として近似する。
【００７３】
図６は、同期信号ＳＹ１と同期信号ＳＹ２との位相差Δθが０°である場合の駆動電圧ＶＤ１，ＶＤ２の波形、第1および第２の光源群１１，１２の赤外線放射強度の波形およびバックライト１０１の赤外線放射強度の波形を示した図である。また、図７は、同期信号ＳＹ１と同期信号ＳＹ２との位相差Δθが９０°である場合の駆動電圧ＶＤ１，ＶＤ２の波形、第1および第２の光源群１１，１２の赤外線放射強度の波形およびバックライト１０１の赤外線放射強度の波形を示した図である。なお、図６および図７においては、バックライト１０１の赤外線放射強度の波形は、第１の光源群１１の赤外線放射強度と第２の光源群１２の赤外線放射強度との合成強度波形である。
【００７４】
図６（ａ）に示すように、同期信号ＳＹ１と同期信号ＳＹ２との位相差Δθが０°の場合、図６（ｂ）に示すように、駆動電圧ＶＤ１と駆動電圧ＶＤ２との位相差Δθも０となる。この場合、図６（ｃ）に示すように、第１の光源群１１の赤外線放射強度と第２の光源群の赤外線放射強度との位相差Δθも０となる。そのため、第１の光源群１１の赤外線放射強度と第２の光源群１２の赤外線放射強度とが強め合うように合成されるので、バックライト１０１の赤外線放射強度の波形のＡＣ成分の振幅が大きくなる。このように、ＡＣ成分の振幅が大きくなることにより、受信機の誤動作が継続する時間が長くなると考えられる。
【００７５】
一方、図７（ａ）に示すように、同期信号ＳＹ１と同期信号ＳＹ２との位相差Δθが９０°の場合、図７（ｂ）に示すように、駆動電圧ＶＤ１と駆動電圧ＶＤ２との位相差Δθも９０°となる。この場合、図７（ｃ）に示すように、第１の光源群１１の赤外線放射強度と第２の光源群の赤外線放射強度との位相差Δθも９０°となる。そのため、バックライト１０１の赤外線放射強度においては、ＡＣ成分にＤＣ成分が重畳されるが、ＡＣ成分の振幅が小さく抑えられる。このように、ＡＣ成分の振幅が小さくなることにより、受信機の誤動作が継続する時間が短くなると考えられる。
【００７６】
なお、位相差Δθが１８０°および３６０°の場合は、図６（ｃ）と同じ赤外線放射強度の波形を示し、位相差Δθが２７０°の場合は、図７（ｃ）と同じ赤外線放射強度の波形を示す。
【００７７】
したがって、同期信号ＳＹ１と同期信号ＳＹ２との位相差Δθは、６０°〜１２０°または２４０°〜３００°の範囲内に設定することが好ましい。それにより、誤動作継続時間ｔｅを第１の光源群１１と第２の光源群１２とを非同期で点灯させた場合の誤動作継続時間ｔｅよりも小さくすることができる。
【００７８】
また、同期信号ＳＹ１と同期信号ＳＹ２との位相差Δθは、７５°〜１０５°または２５５°〜２８５°の範囲内に設定することがより好ましい。それにより、誤動作継続時間ｔｅを十分に小さくすることができる。加えて、誤動作継続時間がバックライト装置を備えた表示装置の起動シーケンス内に収まるので、実質的に表示装置が誤動作しなくなる。
【００７９】
また、同期信号ＳＹ１と同期信号ＳＹ２との位相差Δθは、９０°または２７０°にすることが最も好ましい。それにより、誤動作継続時間ｔｅを最も小さくすることができる。
【００８０】
以上のように、同期信号ＳＹ１とＳＹ２との位相差Δθを６０°〜１２０°または２４０°〜３００°の範囲内に設定することにより、バックライト１０１の赤外線放射強度の波形におけるＡＣ成分を小さく抑えることができる。それにより、受信機の誤動作を低減することができる。
【００８１】
（第２の実施の形態）
図８は本発明の第２の実施の形態に係るバックライト装置の構成を示すブロック図である。
【００８２】
図８のバックライト装置２０３は、駆動装置１０２およびバックライト１０３により構成される。駆動装置１０２は、駆動回路１ａ，１ｂ，１ｃ，１ｄ、遅延回路２および位相反転回路３ａ，３ｂを備える。バックライト１０３は、第１の光源群１３および第２の光源群１４を備える。また、第１の光源群１３は蛍光ランプ２１〜２４を備え、第２の光源群１４は蛍光ランプ２５〜２８を備える。
【００８３】
なお、図８のバックライト装置２０３は、液晶表示装置において、図２のバックライト装置２０１と同様に液晶パネル２０２の背面側に設けられる。
【００８４】
図８の駆動回路１ａおよび遅延回路２には同期信号ＳＹ３が与えられる。駆動回路１ａは、同期信号ＳＹ３に同期して蛍光ランプ２１，２２に交流の駆動電圧ＶＤ１を与える。それにより、蛍光ランプ２１，２２が点灯する。また、位相反転回路３ａは、同期信号ＳＹ３に対して１８０°位相がずれた同期信号ＳＹ４を駆動回路１ｃに与える。駆動回路１ｃは同期信号ＳＹ４に同期して蛍光ランプ２３，２４に交流の駆動電圧ＶＤ３を与える。それにより、蛍光ランプ２３，２４が点灯する。
【００８５】
また、遅延回路２は、同期信号ＳＹ３を予め設定された位相遅延させ、遅延された同期信号ＳＹ５を駆動回路１ｂに与える。駆動回路１ｂは、同期信号ＳＹ５に同期して蛍光ランプ２５，２６に交流の駆動電圧ＶＤ２を与える。それにより、蛍光ランプ２５，２６が点灯する。また、位相反転回路３ｂは、同期信号ＳＹ５に対して１８０°位相がずれた同期信号ＳＹ６を駆動回路１ｄに与える。駆動回路１ｄは、同期信号ＳＹ６に同期して蛍光ランプ２７，２８に交流の駆動電圧ＶＤ４を与える。それにより、蛍光ランプ２７，２８が点灯する。ここで、同期信号ＳＹ３と同期信号ＳＹ５との位相差をΔθとする。
【００８６】
以下、同期信号ＳＹ３と同期信号ＳＹ５との位相差Δθが９０°である場合のバックライト１０３の赤外線放射強度の波形について説明する。
【００８７】
図９は、同期信号ＳＹ３と同期信号ＳＹ５との位相差Δθが９０°である場合の駆動電圧ＶＤ１，ＶＤ２，ＶＤ３，ＶＤ４の波形、蛍光ランプ２１〜２４の赤外線放射強度の波形、蛍光ランプ２５〜２８の赤外線放射強度の波形、第１および第２の光源群１３，１４の赤外線放射強度の波形およびバックライト１０３の赤外線放射強度の波形を示した図である。
【００８８】
なお、図９において。第１の光源群１３の赤外線放射強度の波形は蛍光ランプ２１〜２４の赤外線放射強度の合成強度波形であり、第２の光源群１４の赤外線放射強度の波形は蛍光ランプ２５〜２８の赤外線放射強度の合成強度波形であり、バックライト１０３の赤外線放射強度の波形は第１の光源群１３の赤外線放射強度と第２の光源群１４の赤外線放射強度との合成強度波形である。
【００８９】
図８の構成においては、図９（ｂ）に示すように、駆動電圧ＶＤ３は駆動電圧ＶＤ１に対して逆相になる。また、駆動電圧ＶＤ１と駆動電圧ＶＤ２との位相差Δθは９０°となり、駆動電圧ＶＤ４は駆動電圧ＶＤ２に対して逆相になる。
【００９０】
この場合、蛍光ランプ２１，２２と蛍光ランプ２３，２４とは同期してかつ逆位相で点灯する。それにより、第１の光源群１１において各蛍光ランプから発生するノイズ成分が相殺される。また、第２の光源群１２においても、蛍光ランプ２５，２６と蛍光ランプ２７，２８とが同期してかつ逆位相で点灯するので、各蛍光ランプから発生するノイズ成分が相殺される。これらの結果、液晶パネル２０２上に発生する干渉ノイズを低減することができる。
【００９１】
また、図９（ｃ）に示すように、蛍光ランプ２１〜２４の各赤外線放射強度の位相は同一になり、蛍光ランプ２５〜２８の各赤外線放射強度の位相も同一になる。ここで、蛍光ランプ２１〜２４の赤外線放射強度と蛍光ランプ２５〜２８の赤外線強度との位相差Δθは９０°であるので、第１の光源群１３の赤外線放射強度と第２の光源群１４の赤外線放射強度との位相差Δθも９０°となる。この場合、バックライト１０３の赤外線放射強度においては、ＡＣ成分にＤＣ成分が重畳されるが、ＡＣ成分の振幅が小さく抑えられる。それにより、受信機の誤動作が継続する時間を短くすることができる。
【００９２】
なお、第２の実施の形態においても、誤動作継続時間ｔｅと位相差Δθとの関係は図４の関係を満たす。また、位相差Δθが２７０°の場合は、図９（ｃ）と同じ放射強度を示す。
【００９３】
したがって、同期信号ＳＹ３と同期信号ＳＹ５との位相差Δθは、６０°〜１２０°または２４０°〜３００°の範囲内に設定することが好ましい。それにより、誤動作継続時間ｔｅを第１の光源群１３と第２の光源群１４とを非同期で点灯させた場合の誤動作継続時間ｔｅよりも小さくすることができる。
【００９４】
また、同期信号ＳＹ３と同期信号ＳＹ５との位相差Δθは、７５°〜１０５°または２５５°〜２８５°の範囲内に設定することがより好ましい。それにより、誤動作継続時間ｔｅを十分に小さくすることができる。
【００９５】
また、同期信号ＳＹ３と同期信号ＳＹ５との位相差Δθは、９０°または２７０°にすることが最も好ましい。それにより、誤動作継続時間ｔｅを最も小さくすることができる。
【００９６】
以上のように、同期信号ＳＹ３と同期信号ＳＹ５との位相差Δθを６０°〜１２０°および２４０°〜３００°の範囲内に設定することにより、バックライト１０３の赤外線放射強度の波形におけるＡＣ成分を小さく抑えることができる。それにより、受信機の誤動作を低減することができる。
【００９７】
（第３の実施の形態）
図１０は本発明の第３の実施の形態に係るバックライト装置の構成を示すブロック図である。
【００９８】
図１０のバックライト装置２０４は、駆動装置１０４およびバックライト１０５により構成される。駆動装置１０４は、駆動回路１ａ，１ｂ，１ｃ，１ｄ、遅延回路２および位相反転回路３ａ，３ｂを備える。バックライト１０５は、第１の光源群１５および第２の光源群１６を備える。また、第１の光源群１５は蛍光ランプ２１〜２４を備え、第２の光源群１６は蛍光ランプ２５〜２８を備える。
【００９９】
図１０のバックライト装置２０４が図８のバックライト装置２０３と異なるのは次の点である。バックライト１０５において、第１の光源群１５が複数の第１のサブグループに区分され、第２の光源群１６が複数の第２のサブグループに区分されている。複数の第１のサブグループと複数の第２のサブグループとが交互に配置されている。蛍光ランプ２１，２２が１つの第１のサブグループを形成し、蛍光ランプ２３，２４が他の１つの第１のサブグループを形成する。また、蛍光ランプ２５，２６が１つの第２のサブグループを形成し、蛍光ランプ２７，２８が他の第２のサブグループを形成する。
【０１００】
それにより、第１の光源群１５の蛍光ランプ２１，２２に隣接するように第２の光源群１６の蛍光ランプ２５，２６が配置され、蛍光ランプ２５，２６の蛍光ランプ２１，２２とは反対側に隣接するように第１の光源群１５の蛍光ランプ２３，２４が配置され、蛍光ランプ２３，２４の蛍光ランプ２５，２６とは反対側に隣接するように第２の光源群１６の蛍光ランプ２７，２８が配置される。
【０１０１】
この場合、バックライト１０５の赤外線放射強度の波形は第２の実施の形態におけるバックライト１０３の赤外線放射強度の波形と同一になるが、第１の光源群１５の第１のサブグループと第２の光源群１６の第２のサブグループとが交互に配置されているので、第１の光源群１５から放射される赤外線と第２の光源群１６から放射される赤外線とが近距離で合成される。それにより、図９において説明した効果がより顕著になる。その結果、遠隔操作機器の受信機の誤動作をさらに低減することができる。
【０１０２】
（第４の実施の形態）
図１１は本発明の第４の実施の形態に係るバックライト装置の構成を示すブロック図である。
【０１０３】
図１１のバックライト装置２０５は、駆動装置１０２およびバックライト１０６により構成される。駆動装置１０２は、駆動回路１ａ，１ｂ，１ｃ，１ｄ、遅延回路２および位相反転回路３ａ，３ｂを備える。バックライト１０６は、第１の光源群１７および第２の光源群１８を備える。また、第１の光源群１７は蛍光ランプ３１〜３３を備え、第２の光源群１８は蛍光ランプ３４〜３８を備える。
【０１０４】
図１１のバックライト装置２０５が図８のバックライト装置２０３と異なる点は、バックライト１０６において、第１の光源群１７は蛍光ランプ３１〜３３を備え、第２の光源群１８は蛍光ランプ３４〜３８を備える点である。つまり、図１１のバックライト装置２０５においては、第２の光源群１８は第１の光源群１７よりも多くの蛍光ランプを備えている。このような構成においても、同期信号ＳＹ３と同期信号ＳＹ５との位相差Δθを６０°〜１２０°または２４０°〜３００°の範囲内に設定することにより、バックライト１０６の赤外線放射強度の波形におけるＡＣ成分を小さく抑えることができる。それにより、受信機の誤動作を低減することができる。
【０１０５】
（その他の実施の形態）
上記第１〜第４の実施の形態においては、直下式のバックライト装置について説明したが、上記の構成をエッジ式のバックライト装置に適用してもよい。
【０１０６】
図１２（ａ）は直管ランプを備えるエッジ式バックライト装置を用いた液晶表示装置の概略平面図であり、図１２（ｂ）は図１２（ａ）のＡ−Ａ線断面図である。
【０１０７】
また、図１３（ａ）はＬ字型ランプを備えるエッジ式バックライト装置を用いた液晶表示装置の概略平面図であり、図１３（ｂ）は図１３（ａ）のＡ−Ａ線断面図である。
【０１０８】
図１２の液晶表示装置は、液晶パネル２０２、導光板５０１および直管ランプ５０２，５０３を備える。直管ランプ５０２は、導光板５０１の一方の側部側に設けられ、直管ランプ５０３は、導光板５０１の他方の側部側に設けられる。
【０１０９】
また、図１３の液晶表示装置は、液晶パネル２０２、導光板５０１、およびＬ字ランプ５０４，５０５を備える。Ｌ字ランプ５０４は、導光板５０１の長辺方向の一方の側部側および短辺方向の一方の側部側を覆うように設けられ、Ｌ字ランプ５０５は、導光板５０１の長辺方向の他方の側部側および短辺方向の他方の側部側を覆うように設けられる。
【０１１０】
図１２および図１３の液晶表示装置においては、直管ランプ５０２，５０３およびＬ字ランプ５０４，５０５により発生された光は、導光板５０１に進入する。導光板５０１に進入した光は、導光板５０１に設けられた反射ドット（図示せず）または反射溝（図示せず）によって液晶パネル２０２全体に均一に照射されるように反射させられる。それにより、液晶パネル２０２の表示が行われる。
【０１１１】
ここで、直管ランプ５０２およびＬ字ランプ５０４が図１の駆動回路１ａにより駆動され、直管ランプ５０３およびＬ字ランプ５０５が図１の駆動回路１ｂによって駆動される。それにより、上記第１の実施の形態において得られる効果と同様の効果を得ることができる。
【０１１２】
また、上記の構成においては、導光板５０１において、直管ランプ５０２，５０３およびＬ字ランプ５０４，５０５により放射された赤外線がより均一に合成されるので、図７において説明した効果がより顕著になる。それにより、遠隔操作機器の受信機の誤動作を十分に低減することができる。
【０１１３】
なお、上記実施の形態にける遅延回路２の代わりに、ＰＬＬ（位相同期ループ）回路、フィルタ回路等の他のアナログ回路を用いて位相をシフトさせる位相シフタを構成してもよい。
【０１１４】
上記実施の形態においては、同期信号ＳＹ１および同期信号ＳＹ３が第１の同期信号に相当し、同期信号ＳＹ２および同期信号ＳＹ５が第２の同期信号に相当し、同期信号ＳＹ４が第３の同期信号に相当し、同期信号ＳＹ６が第４の同期信号に相当する。
【０１１５】
また、駆動電圧ＶＤ１が第１の駆動電圧に相当し、駆動電圧ＶＤ２が第２の駆動電圧に相当し、駆動電圧ＶＤ３が第３の駆動電圧に相当し、駆動電圧ＶＤ４が第４の駆動電圧に相当し、駆動回路１ａが第１の駆動回路に相当し、駆動回路１ｂが第２の駆動回路に相当し、駆動回路１ｃが第３の駆動回路に相当し、駆動回路１ｄが第４の駆動回路に相当する。
【０１１６】
また、遅延回路２が第１の信号生成回路に相当し、位相反転回路３ａが第２の信号生成回路に相当し、位相反転回路３ｂが第３の信号生成回路に相当する。
【図面の簡単な説明】
【０１１７】
【図１】図１は、本発明の第１の実施の形態に係るバックライト装置の構成を示すブロック図、
【図２】図２は、図１のバックライト装置を用いた液晶表示装置の概略断面図、
【図３】図３は、バックライトの赤外線放射量と遠隔操作機器の誤動作との関係を説明するための図、
【図４】図４は、図１のバックライト装置において、位相差Δθを０°から３６０°まで３０°ずつ変化させた場合の誤動作終了時間ｔｅの変化を示す図、
【図５】図５は、受信センサＩＣの内部ブロック図、
【図６】図６は、同期信号ＳＹ１と同期信号ＳＹ２との位相差Δθが０°である場合の駆動電圧の波形、第1および第２の光源群の赤外線放射強度の波形およびバックライトの赤外線放射強度の波形を示した図、
【図７】図７は、同期信号ＳＹ１と同期信号ＳＹ２との位相差Δθが９０°である場合の駆動電圧の波形、第1および第２の光源群の赤外線放射強度の波形およびバックライトの赤外線放射強度の波形を示した図、
【図８】図８は、本発明の第２の実施の形態に係るバックライト装置の構成を示すブロック図、
【図９】図９は、同期信号ＳＹ３と同期信号ＳＹ５との位相差Δθが９０°である場合の駆動電圧の波形、蛍光ランプの赤外線放射強度の波形、第１および第２の光源群の赤外線放射強度の波形およびバックライトの赤外線放射強度の波形を示した図、
【図１０】図１０は、本発明の第３の実施の形態に係るバックライト装置の構成を示すブロック図、
【図１１】図１１は、本発明の第４の実施の形態に係るバックライト装置の構成を示すブロック図、
【図１２】図１２は、直管ランプを備えるエッジ式バックライト装置を用いた液晶表示装置の概略平面図、
【図１３】図１３は、Ｌ字型ランプを備えるエッジ式バックライト装置を用いた液晶表示装置の概略平面図
【図１４】図１４は、従来のバックライト装置の一例を示すブロック図、
【図１５】図１５は、従来のバックライト装置の他の例を示すブロック図である。
【手続補正３】
【補正対象書類名】図面
【補正対象項目名】全図
【補正方法】変更
【補正の内容】
【図１】
2005027590.tif 000018
【図２】
2005027590.tif 000019
【図３】
2005027590.tif 000020
【図４】
2005027590.tif 000021
【図５】
2005027590.tif 000022
【図６】
2005027590.tif 000023
【図７】
2005027590.tif 000024
【図８】
2005027590.tif 000025
【図９】
2005027590.tif 000026
【図１０】
2005027590.tif 000027
【図１１】
2005027590.tif 000028
【図１２】
2005027590.tif 000029
【図１３】
2005027590.tif 000030
【図１４】
2005027590.tif 000031
【図１５】
2005027590.tif 000032
【国際調査報告】
2005027590.tif 000033
2005027590.tif 000034